(57)【要約】      （修正有）【課題】使用者がトイレットペーパーの先端を下に引いてカットするだけで、ペーパーの先端が、掴み易い状態で吊り下がっている状態を保持することを可能とする、簡単な形状のトイレットペーパーホルダーのロールカバーを提供する。【解決手段】未使用のトイレットペーパーロール３をロール支持棒２に軸架した状態で、ロールカバー１の先端辺１１が、鉛直方向でトイレットペーパーロールの中心軸３１より下に位置する。ロールカバーの先端辺に、切り欠き１２が形成されている。カバー先端辺がロールの中心軸より下に伸びているため、ペーパーカット後にカット部分が垂れ下がっている状態が保持される。また、カバー先端辺には、切り欠きが形成されているため、次使用時にペーパー先端４を簡単に摘まみやすくなる。一体型のほか、使用中のロールカバーに、下方延伸部材を貼り付ける構成も可能である。【選択図】図３
0003231017.tif 000002
【実用新案登録請求の範囲】
【請求項１】
トイレットペーパーホルダーに付設されるロールカバーであって、
前記トイレットペーパーホルダーに未使用のトイレットペーパーロールを配置した状態で、前記ロールカバーの先端辺が鉛直方向で前記トイレットペーパーロールの中心軸より下に位置することを特徴とするロールカバー。
【請求項２】
前記ロールカバーの先端辺の一部に、切り欠きが形成されていることを特徴とする請求項１記載のロールカバー
【考案の詳細な説明】
【技術分野】
【０００１】
本考案は、ペーパーを取り出しやすいトイレットペーパーホルダーのロールカバーに関する。
【背景技術】
【０００２】
トイレ内にセットされたトイレットペーパーロールは、通常、ロール支持棒に回転自在に軸架され、上部にロールカバーが被着している。これを使用するときは、ペーパーを引き出した後に前記ロールカバーの先端辺でカットするが、カット後はカット部分が前記カバーの外に十分に出ていないため、次に使用する者は手でカバーを上げるなどして、カット部分をさがして摘まみ出す動作をすることになる。
【０００３】
また、宿泊施設や売店など、清掃人が管理するトイレでは、清掃人がペーパーの先端を三角形に折るなどして、ペーパーのカット部分のメイクを行い、使用者がペーパーを取り出しやすくしているが、担当者は清掃作業を行う手でペーパーを折ることから、感染対策の観点から問題があると考える使用者もいる。
【先行技術文献】
【特許文献】
【０００４】
【特許文献１】特開２００９−１５３７４２号
【特許文献２】実用新案登録第３２２５６７９号
【考案の概要】
【考案が解決しようとする課題】
【０００５】
前述したように、トイレの使用者は、トイレットペーパーのカット部分が見つからないときは、ロールカバーを上げてカット部分を摘まみ出すか、ロールを回転させてカット部分が垂れた状態にする等の行為を行っていると考えられるが、トイレを使用するたびに、このような行為を行うことは手間と時間がかかり迂遠である。とくに急いでいるときは焦燥感にかられることもある。仮に、トイレットペーパーのカット部分が、いつでも掴み易い状態で垂れ下がっていて、ロールカバーの先端辺にペーパーを掴むのに便利な工夫が施されているとしたら、トイレ使用時の利便性が格段に向上する。
【０００６】
特許文献１には、トイレットペーパーホルダー上蓋に楕円形のペーパー取出し口とペーパー切断用のノコギリ刃を設け、ペーパー切断時に上蓋が上がらないようにバネを配置したトイレットペーパーホルダーの発明が開示されている。しかし、この構成では、ペーパーが楕円形の取り出し口を通過するときによれてしまううえに、全体の構造が複雑になるなどの不利点がある。また、ペーパー切断時にはペーパーを横方向に引っ張りノコギリ刃に引っ掛けるといった不自然な動作を強要されるうえ、ノコギリ刃で指等を傷つける恐れもある。
【０００７】
上述の問題を解決するために出願人は、特許文献２において、カバー湾曲面にペーパー排出口を具備し、該排出口から引き出されたペーパー先端が掴み易い状態で吊り下がっている状態を保持することを可能としたロールカバーを提案した。しかしながら、この考案にも、排出口を形成するために生産工程が多少複雑になる、また、ロールの交換時にはペーパー先端を排出口に挿通する動作が必要になる等、若干の問題が残っていた。
【０００８】
上述の問題に鑑み、本考案においては、使用者がトイレットペーパーの先端を下に引いてカットするだけで、ペーパーの先端が、掴み易い状態で吊り下がっている状態を保持することを可能とする、簡単な形状のトイレットペーパーホルダーのロールカバーを提供することを課題とする。
【課題を解決するための手段】
【０００９】
上記課題を解決するために、本考案に係るトイレットペーパーホルダーのロールカバーは以下の構成を有する。
【００１０】
請求項１のロールカバーは、トイレットペーパーホルダーに付設されるロールカバーであって、前記トイレットペーパーホルダーに未使用のトイレットペーパーロールを配置した状態で、前記ロールカバーの先端辺が鉛直方向で前記トイレットペーパーロールの中心軸より下に位置することを特徴とする。
【００１１】
請求項２のロールカバーは、請求項１のロールカバーの特徴に加えて、前記ロールカバーの先端辺の一部に、切り欠きが形成されていることを特徴とする。
【考案の効果】
【００１２】
本考案に係るロールカバーは、カバーの先端辺がロールの中心軸より下に伸びているため、ペーパーをカット後にカット部分が垂れ下がっている状態が保持され、使用者はカット部分を掴みやすくなくなる。
【００１３】
また、本考案に係るロールカバーの先端辺には、切り欠きが形成されているため、ペーパーの先端辺を視認しながら簡単に摘まみ出すことができる。
【００１４】
さらに、本考案に係るロールカバーは、全体の形状が通常のカバーとさほど変わらず単純なため、生産しやすい。また、通常のロールカバーの先端近くに、延伸部材を両面テープ等を使用して貼り付ける構成にすることも可能で、この場合には、もともと設置されているホルダーとロールカバーを外さずに利用することができる。
【図面の簡単な説明】
【００１５】
【図１】従来のロールカバーとトイレットペーパーロールとの位置関係を示す斜視図である。
【図２】実施形態１のロールカバーの斜視図である。
【図３】実施形態１のロールカバーとトイレットペーパーロールとの位置関係を示す斜視図である。
【図４】実施形態２のロールカバーの斜視図である。
【考案を実施するための形態】
【００１６】
以下、本考案に係るトイレットペーパーホルダーのロールカバー(以降、単に「本カバー」という。)について、図を用いて、従来のロールカバーと比較して説明する。実施にあたっては、以下の実施形態１及び２を用いた。両実施形態ともに請求項２に記載のロールカバーである。
実施形態１のロールカバーは一体型のカバーであるのに対して、実施形態２のロールカバーは、使用中の従来のロールカバーに、延伸部材５を貼り付ける構成となっている（図４）。
【００１７】
(実施形態１)
従来のロールカバー１は、図１に示すように、先端辺１１がペーパーロール３の中心軸３１よりも高い位置にあるため、ペーパーをロールカバー１の先端辺１１でカットした後は、ペーパー先端がロールカバーの先端辺１１と同位置で、ペーパーロール３の表面に付着した状態になる。このため、次の使用でペーパーを掴むためには、ロールカバー１を持ち上げて、ロール３を回転させるか、先端を見つけて摘まみださなければならない。
【００１８】
これに対し、本カバー１は図２に示すように、カバー湾曲部より先が下方向に延伸し、先端辺１１の中央部に切り欠き１２が形成されている。カット後のペーパーロール３との位置関係は、図３に示すとおりである。すなわち、本カバー１の先端辺１１は位置的にロール３の中心軸３１より低い位置にあるため、カット後のペーパーはロールの表面から離れて垂れ下がっており、ペーパーの先端４は、先端辺１１に形成された切り欠き１２から視認できる。このため、使用者は親指と人差し指でペーパーの先端４を簡単に摘まみ出すことができる。
【００１９】
（実施形態２）
実施形態２においては、現在設置されているトイレットペーパーホルダーのロールカバーを交換せずに、そのまま使用できるよう配慮した構成となっている。すなわち、本実施形態では、図４に示すように、使用中のロールカバー１の湾曲部分に、両面テープ６を使用して延伸部材５を貼り付け、全体として実施形態１のロールカバーと同様の形状と効果を生じさせている。
【符号の説明】
【００２０】
１      ロールカバー
１１    カバー先端辺
１２    切り欠き
２      ロール支持棒
３      ペーパーロール
３１    ペーパーロール中心軸
４      トイレットペーパー先端
５      ロールカバ−延伸部材
６      両面テープ
【図１】
0003231017.tif 000003
【図２】
0003231017.tif 000004
【図３】
0003231017.tif 000005
【図４】
0003231017.tif 000006